(57)【要約】【課題】表示装置全体に捻りの荷重負荷が加わった際に、表示装置の内部で異音が発生するのを抑制することができる表示装置を提供する。【解決手段】液晶パネル６と、ＬＥＤ３２と、ＬＥＤ３２からの光が側面２０ｆに入射され、側面２０ｆに入射した光を主面２０ｅから液晶パネル６の背面６ａに向けて出射する導光板２０と、導光板２０の一周縁部２０ａに対応して設けられ、且つ、液晶パネル６の一周縁部をその背面６ａ側から支持する支持部４０ａと、導光板２０の主面２０ｅを覆い、且つ、その一周縁部が支持部４０ａと導光板２０の一周縁部２０ａとの間の空間４６に配置される光学シート２４と、を備え、支持部４０ａは、導光板２０の主面２０ｅに向けて突出し、且つ、空間４６を形成するための第１のリブ部４２を有しており、第１のリブ部４２は、導光板２０の一周縁部２０ａに沿って不連続に導光板２０の主面２０ｅに接触している。【選択図】図４
2014170074.tif 000002
【特許請求の範囲】
【請求項１】
表示パネルと、
光を発する光源と、
前記光源からの光が側面に入射され、前記側面に入射した光を主面から前記表示パネルの背面に向けて出射する導光板と、
前記導光板の一周縁部に対応して設けられ、且つ、前記表示パネルの一周縁部をその前記背面側から支持する支持部と、
前記導光板の前記主面を覆い、且つ、その一周縁部が前記支持部と前記導光板の前記一周縁部との間の空間に配置される光学シートと、を備え、
前記支持部は、前記導光板の前記主面に向けて突出し、且つ、前記空間を形成するためのリブ部を有しており、
前記リブ部は、前記導光板の前記一周縁部に沿って不連続に前記導光板の前記主面に接触している
表示装置。
【請求項２】
前記リブ部は、
前記導光板の前記主面に接触する接触部と、
前記導光板の前記主面から離れている非接触部と、を有し、
前記接触部及び前記非接触部は、前記導光板の前記一周縁部に沿って並んで配置されている
請求項１に記載の表示装置。
【請求項３】
前記リブ部は、突起状に構成されている
請求項１に記載の表示装置。
【請求項４】
前記導光板の前記主面に接触される前記リブ部の面には、シボ加工が施されている
請求項１〜３のいずれか１項に記載の表示装置。
【請求項５】
さらに、
前記表示パネル、前記光源、前記導光板、前記支持部及び前記光学シートを収納するための筐体と、
前記筐体を下方より支持するスタンドと、を備え、
前記支持部は、前記導光板の四周縁部のうち、前記スタンドに最も近い前記一周縁部に対応して設けられている
請求項１〜４のいずれか１項に記載の表示装置。
【発明の詳細な説明】
【技術分野】
【０００１】
本発明は、画像を表示するための表示装置に関する。
【背景技術】
【０００２】
例えば液晶テレビジョン受像機等のように、表示パネルの背面に向けて光を照射するエッジライト方式のバックライトユニットを備えた表示装置が知られている（例えば、特許文献１参照）。
【０００３】
エッジライト方式のバックライトユニットは、導光板、光学シート及びＬＥＤ（Ｌｉｇｈｔ  Ｅｍｉｔｔｉｎｇ  Ｄｉｏｄｅ）バーを備えている。導光板は、表示パネルの背面に対向して配置されている。光学シートは、導光板の主面を覆うようにして配置されている。ＬＥＤバーは、配線基板及び当該配線基板に実装された複数のＬＥＤを有している。このＬＥＤバーは、導光板の側面に対向して配置されている。
【０００４】
さらに、表示パネルの四周縁部と導光板の四周縁部との間には、表示パネルの四周縁部をその背面側から支持するための枠状のモールドフレームが設けられている。モールドフレームには、その全周に渡って、導光板の主面に向けて突出するリブ部が設けられている。このリブ部は、導光板の四周縁部の各々に沿って連続的に、導光板の主面に接触している。これにより、導光板の四周縁部とモールドフレームとの間には、光学シートの四周縁部を配置するための空間が形成されている。
【０００５】
複数のＬＥＤの各々からの光は、導光板の側面に入射する。導光板の側面に入射した光は、導光板の内部を伝播した後に、導光板の主面から出射する。導光板の主面から出射した光は、光学シートを通過して表示パネルの背面に照射される。これにより、表示パネルには画像が表示される。
【先行技術文献】
【特許文献】
【０００６】
【特許文献１】特開２０１２−２３７８９７号公報
【発明の概要】
【発明が解決しようとする課題】
【０００７】
しかしながら、上述した従来の表示装置では、次のような課題が生じる。例えばユーザが表示装置を設置する際に表示装置の筐体を持ち上げた場合等には、表示装置全体に捻りの荷重負荷が加わることがある。このとき、モールドフレームのリブ部が導光板の主面を擦ることにより、表示装置の内部で軋んだような異音が生じるという課題が生じる。
【０００８】
本発明は、上述した課題を解決しようとするものであり、その目的は、表示装置全体に捻りの荷重負荷が加わった際に、表示装置の内部で異音が発生するのを抑制することができる表示装置を提供することである。
【課題を解決するための手段】
【０００９】
上記目的を達成するために、本発明の一態様に係る表示装置は、表示パネルと、光を発する光源と、前記光源からの光が側面に入射され、前記側面に入射した光を主面から前記表示パネルの背面に向けて出射する導光板と、前記導光板の一周縁部に対応して設けられ、且つ、前記表示パネルの一周縁部をその前記背面側から支持する支持部と、前記導光板の前記主面を覆い、且つ、その一周縁部が前記支持部と前記導光板の前記一周縁部との間の空間に配置される光学シートと、を備え、前記支持部は、前記導光板の前記主面に向けて突出し、且つ、前記空間を形成するためのリブ部を有しており、前記リブ部は、前記導光板の前記一周縁部に沿って不連続に前記導光板の前記主面に接触している。
【００１０】
本態様によれば、リブ部は、導光板の一周縁部に沿って不連続に導光板の主面に接触しているので、リブ部と導光板の主面との接触面積を比較的小さくすることができる。これにより、表示装置全体に捻りの荷重負荷が加わった際に、リブ部が導光板の主面を擦る面積が比較的小さくなるので、表示装置の内部で異音が生じるのを抑制することができる。
【００１１】
例えば、本発明の一態様に係る表示装置において、前記リブ部は、前記導光板の前記主面に接触する接触部と、前記導光板の前記主面から離れている非接触部と、を有し、前記接触部及び前記非接触部は、前記導光板の前記一周縁部に沿って並んで配置されているように構成してもよい。
【００１２】
本態様によれば、リブ部は接触部及び非接触部を有するので、リブ部を導光板の一周縁部に沿って不連続に導光板の主面に接触させることができる。
【００１３】
例えば、本発明の一態様に係る表示装置において、前記リブ部は、突起状に構成されているように構成してもよい。
【００１４】
本態様によれば、リブ部は突起状に構成されているので、リブ部を導光板の一周縁部に沿って不連続に導光板の主面に接触させることができる。
【００１５】
例えば、本発明の一態様に係る表示装置において、前記導光板の前記主面に接触される前記リブ部の面には、シボ加工が施されているように構成してもよい。
【００１６】
本態様によれば、導光板の主面に接触されるリブ部の面にはシボ加工が施されているので、リブ部を導光板の一周縁部に沿って不連続に導光板の主面に接触させることができる。
【００１７】
例えば、本発明の一態様に係る表示装置において、さらに、前記表示パネル、前記光源、前記導光板、前記支持部及び前記光学シートを収納するための筐体と、前記筐体を下方より支持するスタンドと、を備え、前記支持部は、前記導光板の四周縁部のうち、前記スタンドに最も近い前記一周縁部に対応して設けられているように構成してもよい。
【００１８】
一般に、表示装置全体に捻りの荷重負荷が加わった際に、最も荷重負荷が加わるスタンド付近で異音が生じやすい。本態様では、支持部は、スタンドに最も近い導光板の一周縁部に対応して設けられているので、表示装置の内部で異音が生じるのをより効果的に抑制することができる。
【発明の効果】
【００１９】
本発明の一態様に係る表示装置によれば、表示装置全体に捻りの荷重負荷が加わった際に、表示装置の内部で異音が発生するのを抑制することができる。
【図面の簡単な説明】
【００２０】
【図１】実施の形態１に係る表示装置の正面側を示す図である。
【図２】図１中のＡ−Ａ線により切断した表示装置の要部断面図である。
【図３】図１中のＢ−Ｂ線により切断した表示装置の要部断面斜視図である。
【図４】図３中のＣ−Ｃ線により切断した表示装置の要部断面図である。
【図５】モールドフレームの支持部の裏面側を示す要部断面斜視図である。
【図６】実施の形態２に係る表示装置におけるモールドフレームの支持部の裏面側を示す要部断面斜視図である。
【図７】実施の形態３に係る表示装置におけるモールドフレームの支持部の裏面側を示す要部断面斜視図である。
【発明を実施するための形態】
【００２１】
以下、実施の形態に係る表示装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２２】
（実施の形態１）
［表示装置の全体構成］
まず、図１〜図３を参照しながら、実施の形態１に係る表示装置の全体構成について説明する。図１は、実施の形態１に係る表示装置の正面側を示す図である。図２は、図１中のＡ−Ａ線により切断した表示装置の要部断面図である。図３は、図１中のＢ−Ｂ線により切断した表示装置の要部断面斜視図である。なお、図３では、説明の都合上、フロントキャビネット１０及びベゼル５０（後述する）の図示を省略している。
【００２３】
図１及び図２に示すように、表示装置２は、筐体４と、筐体４の内部に設けられた液晶パネル６（表示パネルを構成する）及びバックライトユニット８と、を備えている。本実施の形態の表示装置２は、エッジライト方式のバックライトユニット８を備える液晶テレビジョン受像機である。
【００２４】
筐体４は、フロントキャビネット１０及びリアキャビネット１２が相互に組み合わされることにより構成されている。フロントキャビネット１０は、額縁状に構成されており、液晶パネル６の外周部を覆うようにして配置されている。リアキャビネット１２は、液晶パネル６の背面６ａに対向して配置されている。リアキャビネット１２は、液晶パネル６を配置するための矩形状の開口部１２ａを有している。リアキャビネット１２の下端部には、筐体４を下方より支持するためのスタンド１４が取り付けられている。
【００２５】
バックライトユニット８は、リアキャビネット１２の内面側に支持されている。バックライトユニット８は、液晶パネル６の背面６ａに向けて光を照射するためのものである。バックライトユニット８は、ヒートシンク１６、ＬＥＤバー１８、導光板２０、反射シート２２及び光学シート２４を有している。
【００２６】
ヒートシンク１６は、平板状の放熱部２６と、放熱部２６の一端部から液晶パネル６側に向けて略垂直に延びる取付部２８と、を有している。すなわち、ヒートシンク１６の断面形状は、略Ｌ字状である。放熱部２６は、ネジ（図示せず）によりリアキャビネット１２の内面側に取り付けられている。取付部２８は、導光板２０の四周縁部２０ａ〜２０ｄのうち、短手方向の一周縁部２０ｂに対応して配置されている。なお、ヒートシンク１６は、熱伝導性の高い金属、例えばアルミニウム等で形成されている。
【００２７】
ＬＥＤバー１８は、配線基板３０及び複数のＬＥＤ３２（複数のＬＥＤ３２の各々は光源を構成する）を有している。配線基板３０は、長尺状の板状に構成されている。配線基板３０上には、複数のＬＥＤ３２がその長手方向に沿って一列に且つ間隔を置いて実装されている。複数のＬＥＤ３２の各々は、例えばチップ型のＬＥＤである。配線基板３０は、熱伝導性を有する両面テープ（図示せず）によりヒートシンク１６の取付部２８に取り付けられている。なお、配線基板３０は、熱伝導性の高い金属、例えばアルミニウム等で形成されている。
【００２８】
導光板２０は矩形状に構成され、例えばゴム材等で形成されたクッション部材３４を介して、ヒートシンク１６の放熱部２６に支持されている。なお、クッション部材３４は、導光板２０の外周部に対応して配置されている。導光板２０の主面２０ｅは、液晶パネル６の背面６ａに対向して配置されている。導光板２０の側面２０ｆは、複数のＬＥＤ３２の各々に対向して配置されている。なお、導光板２０は、例えばアクリル樹脂等で構成されている。
【００２９】
反射シート２２は、導光板２０の背面２０ｇ（すなわち、主面２０ｅとは反対側の面）を覆うようにして配置されている。反射シート２２は、導光板２０の側面２０ｆから入射した光を主面２０ｅに向けて反射する光学的機能を有している。
【００３０】
光学シート２４は、拡散シート３６及びレンズシート３８を含んでいる。これら拡散シート３６及びレンズシート３８は、相互に重ね合わされた状態で、導光板２０の主面２０ｅを覆うようにして配置されている。拡散シート３６は、導光板２０の主面２０ｅから出射した光を拡散する光学的機能を有している。レンズシート３８は、拡散シート３６により拡散された光を液晶パネル６の背面６ａに導く光学的機能を有している。
【００３１】
リアキャビネット１２の開口部１２ａには、液晶パネル６の四周縁部をその背面６ａ側より支持するためのモールドフレーム４０がネジ（図示せず）により取り付けられている。本実施の形態では、モールドフレーム４０は、枠状に構成されている。モールドフレーム４０の裏面（すなわち、導光板２０側における面）には第１のリブ部４２が設けられ、モールドフレーム４０の表面（すなわち、液晶パネル６側における面）には第２のリブ部４４が設けられている。
【００３２】
第１のリブ部４２は、導光板２０の主面２０ｅに向けて突出している。第１のリブ部４２は、モールドフレーム４０と導光板２０の四周縁部２０ａ〜２０ｄとの間に空間４６を形成するためのものである。この空間４６には、拡散シート３６及びレンズシート３８の各々の四周縁部が配置される。本実施の形態では、導光板２０の三周縁部２０ｂ〜２０ｄの各々に対応するモールドフレーム４０の部位では、第１のリブ部４２は、三周縁部２０ｂ〜２０ｄの各々に沿って連続的に導光板２０の主面２０ｅに接触している。さらに、スタンド１４に最も近い導光板２０の一周縁部２０ａに対応するモールドフレーム４０の部位４０ａ（以下、「支持部４０ａ」という）では、第１のリブ部４２（リブ部を構成する）は、導光板２０の一周縁部２０ａに沿って不連続に導光板２０の主面２０ｅに接触している。支持部４０ａに設けられた第１のリブ部４２の具体的な構成については後述する。
【００３３】
第２のリブ部４４は、ベゼル５０（後述する）に向けて突出している。第２のリブ部４４は、モールドフレーム４０とベゼル５０との間に空間４８を形成するためのものである。この空間４８には、液晶パネル６の四周縁部が配置される。
【００３４】
液晶パネル６は矩形状に構成され、その四周縁部は、モールドフレーム４０の内周部（すなわち、モールドフレーム４０の第２のリブ部４４よりも内側の部位）に支持されている。液晶パネル６の背面６ａにバックライトユニット８からの光が照射されることにより、液晶パネル６に画像が表示される。液晶パネル６の正面６ｂ（すなわち、液晶パネル６の背面６ａとは反対側の面）側における四周縁部は、ベゼル５０によって覆われている。ベゼル５０は、例えば額縁状に構成されており、ネジ（図示せず）によりモールドフレーム４０に固定されている。これにより、液晶パネル６の四周縁部は、ベゼル５０とモールドフレーム４０との間に挟持される。
【００３５】
なお、フロントキャビネット１０は、ベゼル５０及びモールドフレーム４０を覆うようにして、ネジ（図示せず）によりリアキャビネット１２に取り付けられている。
【００３６】
次に、上述した表示装置２の動作について簡単に説明する。複数のＬＥＤ３２の各々が点灯することにより、複数のＬＥＤ３２の各々から光が出力される。複数のＬＥＤ３２の各々からの光は、導光板２０の側面２０ｆに入射する。導光板２０の側面２０ｆに入射した光は、反射シート２２で反射されながら導光板２０の内部を伝播し、導光板２０の主面２０ｅから出射する。導光板２０の主面２０ｅから出射した光は、拡散シート３６及びレンズシート３８をそれぞれ通過した後に、液晶パネル６の背面６ａに入射する。
【００３７】
なお、複数のＬＥＤ３２の各々が点灯されることにより、複数のＬＥＤ３２の各々は発熱する。複数のＬＥＤ３２の各々からの熱は、配線基板３０、両面テープ及び取付部２８を介して放熱部２６に伝達される。放熱部２６に伝達された熱は、空気中に放熱される。
【００３８】
［第１のリブ部の構成］
次に、図４及び図５を参照しながら、本実施の形態の表示装置２の特徴的な構成である、支持部４０ａに設けられた第１のリブ部４２の構成について説明する。図４は、図３中のＣ−Ｃ線により切断した表示装置の要部断面図である。図５は、モールドフレームの支持部の裏面側を示す要部断面斜視図である。
【００３９】
図４及び図５に示すように、支持部４０ａに設けられた第１のリブ部４２は、導光板２０の主面２０ｅに接触する複数の接触部４２ａと、導光板２０の主面２０ｅから離れている複数の非接触部４２ｂと、を有している。すなわち、複数の非接触部４２ｂの各々の突出量Ｈ２は、複数の接触部４２ａの各々の突出量Ｈ１よりも短い。複数の接触部４２ａ及び複数の非接触部４２ｂは、導光板２０の一周縁部２０ａに沿って交互に並んで配置されている。これにより、支持部４０ａに設けられた第１のリブ部４２は、導光板２０の一周縁部２０ａに沿って不連続に導光板２０の主面２０ｅに接触している。
【００４０】
［効果］
次に、本実施の形態の表示装置２により得られる効果について説明する。上述したように、支持部４０ａに設けられた第１のリブ部４２は、導光板２０の一周縁部２０ａに沿って不連続に導光板２０の主面２０ｅに接触している。これにより、導光板２０の一周縁部２０ａにおいては、第１のリブ部４２と導光板２０の主面２０ｅとの接触面積は、複数の接触部４２ａの各々と導光板２０の主面２０ｅとの接触面積の合計面積となる。その結果、第１のリブ部４２と導光板２０の主面２０ｅとの接触面積は、第１のリブ部４２が導光板２０の一周縁部２０ａに沿って連続的に導光板２０の主面２０ｅに接触している場合と比較して小さくなる。従って、表示装置２全体に捻りの荷重負荷が加わった際に、支持部４０ａに設けられた第１のリブ部４２が導光板２０の主面２０ｅを擦る面積が比較的小さくなるので、表示装置２の内部で異音が生じるのを抑制することができる。
【００４１】
一般に、表示装置２全体に捻りの荷重負荷が加わった際に、最も荷重負荷が加わるスタンド１４付近で異音が生じやすい。そのため、本実施の形態では、上述した構成の第１のリブ４２は、スタンド１４に最も近い導光板２０の一周縁部２０ａに対応する支持部４０ａに設けられているので、表示装置２の内部で異音が生じるのをより効果的に抑制することができる。
【００４２】
なお、本実施の形態では、第１のリブ部４２の接触部４２ａ及び非接触部４２ｂをそれぞれ複数個設けたが、接触部４２ａを１個のみ、或いは、非接触部４２ｂを１個のみ設けることもできる。
【００４３】
（実施の形態２）
次に、図６を参照しながら、実施の形態２に係る表示装置の構成について説明する。図６は、実施の形態２に係る表示装置におけるモールドフレームの支持部の裏面側を示す要部断面斜視図である。以下の各実施の形態では、上記実施の形態１と同一の構成要素には同一の符号を付して、その説明を省略する。
【００４４】
図６に示すように、本実施の形態のモールドフレーム４０Ａでは、支持部４０Ａａに設けられた複数の第１のリブ部４２Ａの各々は、突起状に構成されている。複数の第１のリブ部４２Ａの各々の先端部は、略半球状に構成されている。これにより、支持部４０Ａａに設けられた複数の第１のリブ部４２Ａは、導光板２０の一周縁部２０ａ（図３参照）に沿って不連続に導光板２０の主面２０ｅに接触している。従って、本実施の形態においても、上記実施の形態１と同様の効果を得ることができる。
【００４５】
なお、本実施の形態では、支持部４０Ａａに第１のリブ部４２Ａを複数個設けたが、１個のみ設けることもできる。
【００４６】
（実施の形態３）
次に、図７を参照しながら、実施の形態３に係る表示装置の構成について説明する。図７は、実施の形態３に係る表示装置におけるモールドフレームの支持部の裏面側を示す要部断面斜視図である。
【００４７】
図７に示すように、本実施の形態のモールドフレーム４０Ｂでは、支持部４０Ｂａに設けられた第１のリブ部４２Ｂは、支持部４０Ｂａの長手方向に沿って連続的に延びている。導光板２０の主面２０ｅ（図３参照）に接触される第１のリブ部４２Ｂの面４２Ｂｃには、シボ加工が施されている。これにより、第１のリブ部４２Ｂの面４２Ｂｃには微小な凹凸が形成されるので、支持部４０Ｂａに設けられた第１のリブ部４２Ｂは、導光板２０の一周縁部２０ａ（図３参照）に沿って不連続に導光板２０の主面２０ｅに接触している。従って、本実施の形態においても、上記実施の形態１と同様の効果を得ることができる。
【００４８】
なお、上記実施の形態１及び２においても同様に、導光板２０の主面２０ｅに接触される第１のリブ部４２（４２Ａ）の面にシボ加工を施すこともできる。
【００４９】
以上、本発明の実施の形態１〜３に係る表示装置について説明したが、本発明は、これらの実施の形態に限定されるものではない。例えば、上記各実施の形態をそれぞれ組み合わせるとしてもよい。
【００５０】
上記各実施の形態では、表示装置が液晶テレビジョン受像機である場合について説明したが、表示装置は、液晶テレビジョン受信機以外に、例えばパーソナルコンピュータ用の液晶モニタ等でもよい。
【００５１】
上記各実施の形態では、スタンドに最も近い導光板の一周縁部に対応する支持部に設けられた第１のリブ部は、導光板の一周縁部に沿って不連続に導光板の主面に接触している。このような構成に代えて、導光板の残りの三周縁部の各々に対応するモールドフレームの部位においても同様に、第１のリブ部は、導光板の三周縁部の各々に沿って不連続に導光板の主面に接触してもよい。
【００５２】
上記各実施の形態では、モールドフレームを枠状に構成したが、直線状に延びる４個のパーツを枠状に組み合わせることによってモールドフレームを構成することもできる。この場合、４個のパーツのうち少なくとも１つが支持部を構成する。
【産業上の利用可能性】
【００５３】
本発明の表示装置は、例えば、液晶テレビジョン受像機及びパーソナルコンピュータ用の液晶モニタ等として適用することができる。
【符号の説明】
【００５４】
２  表示装置
４  筐体
６  液晶パネル
６ａ  背面
６ｂ  正面
８  バックライトユニット
１０  フロントキャビネット
１２  リアキャビネット
１２ａ  開口部
１４  スタンド
１６  ヒートシンク
１８  ＬＥＤバー
２０  導光板
２０ａ，２０ｂ，２０ｃ，２０ｄ  周縁部
２０ｅ  主面
２０ｆ  側面
２０ｇ  背面
２２  反射シート
２４  光学シート
２６  放熱部
２８  取付部
３０  配線基板
３２  ＬＥＤ
３４  クッション部材
３６  拡散シート
３８  レンズシート
４０，４０Ａ，４０Ｂ  モールドフレーム
４０ａ，４０Ａａ，４０Ｂａ  支持部
４２，４２Ａ，４２Ｂ  第１のリブ部
４２ａ  接触部
４２ｂ  非接触部
４２Ｂｃ  面
４４  第２のリブ部
４６，４８  空間
５０  ベゼル
【図１】
2014170074.tif 000003
【図２】
2014170074.tif 000004
【図３】
2014170074.tif 000005
【図４】
2014170074.tif 000006
【図５】
2014170074.tif 000007
【図６】
2014170074.tif 000008
【図７】
2014170074.tif 000009